(57)【要約】  【課題】  トナー像の転写対象であるシートのサイズや枚数に拘わらず、中間転写体の転写面上へのトナー像の画像形成位置を適正なものとする技術を提供する。  【解決手段】  中間転写体の転写面上へのトナー像の形成位置を補正して画像形成を行う画像形成装置であって、シートに画像を形成するための印刷用データに関する所定のデータを取得するデータ取得部と、前記データ取得部にて取得された前記所定のデータに対応する所定の補正値に基づいて、前記トナー像を前記転写面上に形成する位置を補正する補正部とを有し、前記補正部は、前記所定のデータに基づいて、前記転写面上に同時に複数ページ分のトナー像を形成すると判断される場合、これら複数のページのそれぞれに対応する補正値を用いて前記トナー像の形成位置を補正する。  【選択図】  図１
2007003958.tif 000002
【特許請求の範囲】
【請求項１】
中間転写体の転写面上へのトナー像の形成位置を補正して画像形成を行う画像形成装置であって、
シートに画像を形成するための印刷用データに関する所定のデータを取得するデータ取得部と、
前記データ取得部にて取得された前記所定のデータに対応する所定の補正値に基づいて、前記トナー像を前記転写面上に形成する位置を補正する補正部とを有し、
前記補正部は、前記所定のデータに基づいて、前記転写面上に同時に複数ページ分のトナー像を形成すると判断される場合、これら複数のページのそれぞれに対応する補正値を用いて前記トナー像の形成位置を補正する画像形成装置。
【請求項２】
請求項１に記載の画像形成装置において、
前記所定の補正値は、前記トナー像のシートに対する転写位置に関するものである画像形成装置。
【請求項３】
請求項１に記載の画像形成装置において、
前記所定の補正値は、複数色のトナーを用いて前記転写面上にトナー像を形成する場合における、互いに異なる色のトナー像間の位置関係に関するものである画像形成装置。
【請求項４】
請求項１乃至請求項３のいずれかに記載の画像形成装置において、
前記転写面上に同時に複数ページ分のトナー像を形成する場合に、該同時に転写面上に形成される複数のページにおける任意のページに対応する補正値が、該任意のページよりも前にトナー像が形成されるページに対応する補正値を含むように設定されている画像形成装置。
【請求項５】
中間転写体の転写面上へのトナー像の形成位置を補正して画像形成を行う画像形成方法であって、
シートに画像を形成するための印刷用データに関する所定のデータを取得するデータ取得ステップと、
前記データ取得ステップにて取得された前記所定のデータに対応する所定の補正値に基づいて、前記トナー像を前記転写面上に形成する位置を補正する補正ステップとを有し、
前記補正ステップは、前記所定のデータに基づいて、前記転写面上に同時に複数ページ分のトナー像を形成すると判断される場合、これら複数のページのそれぞれに対応する補正値を用いて前記トナー像の形成位置を補正する画像形成方法。
【請求項６】
請求項５に記載の画像形成方法において、
前記所定の補正値は、前記トナー像のシートに対する転写位置に関するものである画像形成方法。
【請求項７】
請求項５に記載の画像形成方法において、
前記所定の補正値は、複数色のトナーを用いて前記転写面上にトナー像を形成する場合における、互いに異なる色のトナー像間の位置関係に関するものである画像形成方法。
【請求項８】
請求項５乃至請求項７のいずれかに記載の画像形成方法において、
前記転写面上に同時に複数ページ分のトナー像を形成する場合に、該同時に転写面上に形成される複数のページにおける任意のページに対応する補正値が、該任意のページよりも前にトナー像が形成されるページに対応する補正値を含むように設定されている画像形成方法。
【発明の詳細な説明】
【技術分野】
【０００１】
本発明は、中間転写体の転写面上へのトナー像の形成位置を補正して画像形成を行う画像形成装置および画像形成方法に関するものである。
【背景技術】
【０００２】
中間転写体の転写面上に形成したトナー像をシートに対して転写する方式の画像形成装置において、中間転写体の転写面上へのトナー像の形成位置は、当該中間転写体からシートに対して転写されるトナー像のシート上への転写位置（ページ内における画像位置）に直接影響を及ぼすため、適正である必要がある。
【０００３】
また、複数色のトナー（例えば、ブラック（Ｋ）、シアン（Ｃ）、マゼンタ（Ｍ）、イエロー（Ｙ））を用いて画像形成を行う場合、図４に示すように、転写面上への各色のトナー像の形成位置が異なる色同士でズレてしまうと、いわゆる色ズレ（画質劣化）の原因となるため、各色のトナー像の転写面上への相対的な転写位置を適正なものとする（色合わせ）必要がある。
【０００４】
上述のような中間転写体の転写面上へのトナー像の形成位置の重要性から、転写面上へのトナー像の形成位置を補正する技術（いわゆる、色ズレ調整、もしくは色ズレ補正）が知られる（例えば、特許文献１参照。）。
【０００５】
上記従来技術は、予め各色のトナー像の転写面上への形成位置（シート搬送方向における形成位置）のズレ量を把握しておき、そのズレ量に合わせて、感光体へのレーザの書き込みタイミングを調整することにより、転写面上へのトナー像の形成位置の精度を向上させようとするものである。
【０００６】
ところで、ロングサイズ（Ａ３／ＬＤ等）のシートとショートサイズ（Ａ４／ＬＴ等）のシートの両方に対して画像形成可能な画像形成装置では一般に、図５に示すように、複数枚のロングサイズのシートへの画像形成時は転写面上にロングサイズ１ページ分のトナー像を形成し、ショートサイズのシートへの画像形成時は転写面上にショートサイズ複数ページ（例えば２ページ）分のトナー像を同時に形成する。図６に、中間転写体に対して同時に２ページ分のトナー像を形成するシートサイズと、同時に１ページ分だけのトナー像を形成するシートサイズとを分類した一例を示す。
【０００７】
図７は、ロングサイズおよびショートサイズのシートに対して形成すべきトナー像の中間転写体の転写面への形成位置の従来の補正方法について説明するための図である。トナー像の形成位置の補正は、１ページ目に対応するトナー像から行われ、１ページ目が終了した時点で２ページ目に対応するトナー像の形成位置の補正が開始される。
【０００８】
同図の上段に示すように、ロングサイズ（例えばＡ３）のシートのように１ページ分のトナー像（１枚目）だけを中間転写体の転写面に転写し、シートへの当該トナー像の転写を終えた後で、２ページ目のトナー像（２枚目）の転写面への転写を行う場合、１ページ目と２ページ目以降とは異なる補正値を用いてトナー像の形成位置の補正処理を行う。
【０００９】
１ページ目と２ページ目以降とで補正値が異なるのは、色ズレの要因となる、中間転写ベルトクリーナの当接、２次転写の当接等のタイミングが１ページ目と２ページ目以降とで異なること等の理由（印字シーケンスの違い）による。２ページ目よりも後のページは、色ズレの要因に関しては、２ページ目と同じシーケンスをとるため、補正値も２ページ目で使用した値を使用する。
【特許文献１】特開２００３−３３３６０７号公報
【発明の開示】
【発明が解決しようとする課題】
【００１０】
上述のような従来の色ズレ補正では、利用頻度の高いＡ３等のロングサイズのシート用の補正値のみが設定され、当該補正値を他のサイズのシートへの画像形成時にも利用するのが一般である。また、ショートサイズ（例えばＡ４）のシートへの画像形成時には、中間転写体の転写面上に同時に２ページ分のトナー像が形成されるが、この２ページ分の内の１ページ目についてはトナー像形成開始時に補正が行われ、２ページ分の内の２ページ目については、１ページ目に対して適用された補正値がそのまま流用され特別な補正は行われない。
【００１１】
また、感光体の感光面から中間転写体へトナー像を転写（１次転写とする）する際にかける転写バイアス（１次転写バイアス）は、ロングサイズ、ショートサイズ共通であり、中間転写体の転写面に対して一度に形成すべきトナー像を形成し始めてから、当該トナー像の転写面上への形成動作を終えるまでのサイクル（ここでは、画像形成サイクルと呼ぶ。）の中では、常に出力されている（図７参照）。
【００１２】
しかし、ショートサイズのトナー像を転写面に形成する場合は、図８に示すように、ロングサイズのトナー像を形成する場合とは異なり、一度に２ページ分形成されるトナー像の前半のページ（同図におけるＡ４の１枚目、３枚目に相当）と後半のページ（同図におけるＡ４の２枚目、４枚目に相当）との間にはトナー像が形成されない空白のスペースができる。
【００１３】
１次転写バイアスをかけると、中間転写体と感光体の感光面とが静電吸着することが知られているが、転写するトナーの種類や、トナー像の形成の有無がこの吸着力に影響を及ぼすことが分かっており、ショートサイズのトナー像を形成する場合には、トナーなしの空白区間による静電吸着の影響により、各色のトナーの挙動が変動し、中間転写体の転写面上に同時に複数ページ分のトナー像を形成する場合に、当該複数ページの内の２ページ目以降のページに対応するトナー像の画像形成位置（同図におけるＡ４の２枚目、４枚目に相当）に悪影響（色ズレ等）を及ぼしていた。
【００１４】
また、ロングサイズのシート長さと、ショートサイズのシート２枚分＋シート間隔とを比較した場合、当然ショートサイズのシート２枚分＋シート間隔の方が長い。すなわち、ロングサイズの用紙長が終わった後のトナーなしの空白区間が存在し、ロングサイズのシートのトナー像（同図におけるＡ３の２枚目に相当）の先頭の挙動とショートサイズのシートの前半のページ分（同図におけるＡ４の１枚目、３枚目に相当）のトナー像の先頭の挙動に差が現れていた。
【００１５】
本発明は上述した問題点を解決するためになされたものであり、トナー像の転写対象であるシートのサイズや枚数に拘わらず、中間転写体の転写面上へのトナー像の画像形成位置を適正なものとする技術を提供することを目的とする。
【課題を解決するための手段】
【００１６】
上述した課題を解決するため、本発明に係る画像形成装置は、中間転写体の転写面上へのトナー像の形成位置を補正して画像形成を行う画像形成装置であって、シートに画像を形成するための印刷用データに関する所定のデータを取得するデータ取得部と、前記データ取得部にて取得された前記所定のデータに対応する所定の補正値に基づいて、前記トナー像を前記転写面上に形成する位置を補正する補正部とを有し、前記補正部は、前記所定のデータに基づいて、前記転写面上に同時に複数ページ分のトナー像を形成すると判断される場合、これら複数のページのそれぞれに対応する補正値を用いて前記トナー像の形成位置を補正することを特徴とするものである。
【００１７】
また、本発明に係る画像形成方法は、中間転写体の転写面上へのトナー像の形成位置を補正して画像形成を行う画像形成方法であって、シートに画像を形成するための印刷用データに関する所定のデータを取得するデータ取得ステップと、前記データ取得ステップにて取得された前記所定のデータに対応する所定の補正値に基づいて、前記トナー像を前記転写面上に形成する位置を補正する補正ステップとを有し、前記補正ステップは、前記所定のデータに基づいて、前記転写面上に同時に複数ページ分のトナー像を形成すると判断される場合、これら複数のページのそれぞれに対応する補正値を用いて前記トナー像の形成位置を補正することを特徴とするものである。
【発明の効果】
【００１８】
以上に詳述したように本発明によれば、トナー像の転写対象であるシートのサイズや枚数に拘わらず、中間転写体の転写面上へのトナー像の画像形成位置を適正なものとする技術を提供することができる。
【発明を実施するための最良の形態】
【００１９】
以下、本発明の実施の形態について図面を参照しつつ説明する。
【００２０】
図１は、本実施の形態による画像形成装置について説明するための機能ブロック図である。
【００２１】
本実施の形態による画像形成装置１は、例えばＭＦＰ（Multi Function Peripheral）等から構成されており、ＬＡＮ等の電気通信回線を介してデータベース２と通信可能に接続されている。
【００２２】
画像形成装置１は、データ取得部１０１、補正部１０２、画像形成部１０３、ＭＥＭＯＲＹ１０４およびＣＰＵ１０５を備えてなる構成となっている。
【００２３】
データ取得部１０１は、シートに画像を形成するための印刷用データに関する所定のデータを取得する役割を有している。ここでの、印刷用データとは、画像形成装置１における画像形成部１０３にて画像形成処理を行うためのデータであり、不図示の画像読取部において読み取られた画像データに基づくコピー処理を行う場合や、画像形成装置１と通信可能に接続されたＰＣ等の外部機器から印刷命令を受ける場合などに、画像形成部１０３へ向けて送信される。また、印刷用データに関する所定のデータとは、画像形成部１０３にて画像形成処理を施されるシートのサイズ、枚数およびトナーの種類（これから像を形成するトナーは何色か？等）などを意味している。
【００２４】
補正部１０２は、データ取得部１０１にて取得された所定のデータに対応する所定の補正値に基づいて、トナー像を転写面上に形成する位置を補正する役割を有している。具体的に、補正部１０２は、所定のデータに基づいて、中間転写体の転写面上に同時に複数ページ分のトナー像を形成すると判断される場合、これら複数のページのそれぞれに対応する補正値を用いてトナー像の形成位置を補正する。
【００２５】
画像形成部１０３は、シートに対してトナー像を形成する役割を有しており、感光体の感光面に対してレーザ光を走査することにより静電潜像を形成し、当該静電潜像を顕在化させたトナー像を中間転写体を介してシートに対して転写する。補正部１０２による転写面へのトナー像の形成位置の補正は、補正部１０２からの命令に基づいて、画像形成部１０３における感光面へのレーザ光の書き込みタイミングを調整することにより実現される。なお、本実施の形態では、転写面上に形成されたトナー像をシートに対して転写する中間転写体として、中間転写ベルトを採用しているが、これに限られるものではなく、例えば中間転写ローラを採用することもできる。
【００２６】
ＣＰＵ１０５は、画像形成装置における各種処理を行う役割を有しており、またＭＥＭＯＲＹ１０４に格納されているプログラムを実行することにより種々の機能を実現する役割も有している。ＭＥＭＯＲＹ１０４は、例えばＲＯＭやＲＡＭ等から構成されており、画像形成装置において利用される種々の情報やプログラムを格納する役割を有している。
【００２７】
本実施の形態による画像形成装置は、上述のような構成により、中間転写体の転写面上へのトナー像の形成位置を補正して画像形成を行う。
【００２８】
データベース２は、ＨＤＤ等から構成され、上述の所定の補正値を格納する役割を有している。ここで、データベース２に格納されている所定の補正値とは、トナー像のシートに対する転写位置（例えば、シート上におけるトナー像の位置）に関する値、もしくは、複数色のトナーを用いて転写面上にトナー像を形成する場合における、互いに異なる色のトナー像間の位置関係に関する値（例えば、異なる色のトナー像間における色ズレに関する補正値）を意味している。
【００２９】
上述の従来技術では、中間転写体の転写面上に形成されるトナー像の色ズレ補正を行うために、ロングサイズのシートに基づいて設定される以下のような補正値を各色のトナーに対応して有している。
第１黒印字補正値            ：Ｋ１
第１シアン印字補正値        ：Ｃ１
第１マゼンダ印字補正値      ：Ｍ１
第１イエロー印字補正値      ：Ｙ１
第２黒印字補正値            ：Ｋ２
第２シアン印字補正値        ：Ｃ２
第２マゼンダ印字補正値      ：Ｍ２
第２イエロー印字補正値      ：Ｙ２
ここでは、Ｋ１〜Ｙ２は、例えば０〜２５５の間の数値である。
【００３０】
本実施の形態では、従来の第１および第２補正値（Ｋ１〜Ｙ２）に加え、更に第３〜第６補正値を設けた。つまり、色ズレ補正用に各印字ページ、色に対応する補正値を以下のように有している。
第１黒印字補正値            ：Ｋ１
第１シアン印字補正値        ：Ｃ１
第１マゼンダ印字補正値      ：Ｍ１
第１イエロー印字補正値      ：Ｙ１
第２黒印字補正値            ：Ｋ２
第２シアン印字補正値        ：Ｃ２
第２マゼンダ印字補正値      ：Ｍ２
第２イエロー印字補正値      ：Ｙ２
第３黒印字補正値            ：Ｋ３
第３シアン印字補正値        ：Ｃ３
第３マゼンダ印字補正値      ：Ｍ３
第３イエロー印字補正値      ：Ｙ３
第４黒印字補正値            ：Ｋ４
第４シアン印字補正値        ：Ｃ４
第４マゼンダ印字補正値      ：Ｍ４
第４イエロー印字補正値      ：Ｙ４
第５黒印字補正値            ：Ｋ５
第５シアン印字補正値        ：Ｃ５
第５マゼンダ印字補正値      ：Ｍ５
第５イエロー印字補正値      ：Ｙ５
第６黒印字補正値            ：Ｋ６
第６シアン印字補正値        ：Ｃ６
第６マゼンダ印字補正値      ：Ｍ６
第６イエロー印字補正値      ：Ｙ６
ここで、Ｋ１〜Ｙ６は、０〜２５５までの範囲の数値である。
【００３１】
このように、本実施の形態では、ロングサイズのシートに対応するトナー像の形成位置の調整に加え、ショートサイズのシートについても同様な調整を可能としている。ここでは、中間転写体の転写面に対して同時に２ページ分のトナー像を形成することが可能な画像形成装置において、十分なトナー像の形成位置の補正を実現するため、ロングサイズのシートに対応した補正値（第１画像形成サイクルにおける１枚目分（Ｋ１、Ｃ１、Ｍ１、Ｙ１）と第２画像形成サイクルにおける２枚目分（Ｋ２、Ｃ２、Ｍ２、Ｙ２））に加え、ショートサイズのシートに対応した補正値（第１画像形成サイクルにおける１枚目分（Ｋ３、Ｃ３、Ｍ３、Ｙ３）、第１画像形成サイクルにおける２枚目分（Ｋ４、Ｃ４、Ｍ４、Ｙ４）、第２画像形成サイクルにおける３枚目以降奇数ページ分（Ｋ５、Ｃ５、Ｍ５、Ｙ５）および第２画像形成サイクルにおける４枚目以降偶数ページ分（Ｋ６、Ｃ６、Ｍ６、Ｙ６））が予め設定されている。
【００３２】
図２は、本実施の形態による画像形成装置における処理の流れ（画像形成方法）について説明するためのフローチャートである。
【００３３】
データ取得部１０１は、シートに画像を形成するための印刷用データに関する所定のデータを取得する（データ取得ステップ）（Ｓ１０１）。
【００３４】
補正部１０２は、所定のデータに基づいて、転写面上に同時に複数ページ分のトナー像を形成すると判断される場合、これら複数のページのそれぞれに対応する補正値（データ取得ステップにて取得された所定のデータに対応する所定の補正値）を用いてトナー像を転写面上に形成する位置を補正する（補正ステップ）（Ｓ１０２）。
【００３５】
以下、図３を参照しつつ、所定の補正値を用いたトナー像の形成位置の補正について詳述する。所定の補正値は、以下のような計算式によってトナー像の形成位置の補正に反映される。ここでは、説明の便宜上ブラック（Ｋ）のトナーについての補正方法のみ示すが、他の色（シアン、マゼンタ、イエロー）についても同様である。
【００３６】
なお、以下では画像形成サイクルとは、中間転写ベルトが４回転し、その転写面上にブラック（Ｋ）、シアン（Ｃ）、マゼンタ（Ｍ）およびイエロー（Ｙ）のトナー像を転写し１つのカラー画像を形成するサイクルを意味するものとする。Ａ３サイズの１ページ目、およびＡ４サイズの１ページ目および２ページ目を印字する場合は「第１画像形成サイクル」、Ａ３サイズの２ページ目、およびＡ４サイズの３ページ目および４ページ目を印字する場合は「第２画像形成サイクル」とし、以下「第３画像形成サイクル」、「第４画像形成サイクル」とする。
【００３７】
シートサイズがＡ３等のロングサイズのシート（１枚貼り付け）に対して印字する場合は、上述の所定の補正値は、下記計算式により用紙の印字に反映される（図３の上段参照）。
【００３８】
第１画像形成サイクル印字時は、Ｋ１−１２８＝ｋ（１）とすると、
第１画像形成サイクルの黒印字時に適用される補正値＝ｋ（１）＝Ｋａ
第２画像形成サイクル以降印字時は、（Ｋ２−１２８）＝ｋ（２）とすると、
第２画像形成サイクル以降の黒印字時に適用される補正値＝ｋ（１）＋ｋ（２）＝Ｋｂ
上記の計算式により求められた値に基づいて、調整が行われる。なお、上記計算式では、「１２８」を基準値として、この基準値よりも補正値が大きいか小さいかを算出しているが、基準値はこれに限られるものではなく、また予め基準値を考慮して算出しておいた数値を所定の補正値としてデータベース２に格納するようにしてもよい。
【００３９】
ここで、上記計算式により求められた値が「−１以下」の場合、求められた値×０．０４２［ｍｍ］だけ印字開始位置（感光面のシート搬送方向におけるレーザ光の走査開始位置）をシート先端方向（感光面の移動方向下流側）へ移動させる。
【００４０】
上記計算式により求められた値が「０」の場合、トナー像の形成位置の補正は不要であることを意味しており、補正部１０２による上記トナー像の形成位置の補正は行われない。
【００４１】
上記計算式により求められた値が「＋１以上」の場合、求められた値×０．０４２［ｍｍ］だけ印字開始位置（感光面のシート搬送方向におけるレーザ光の走査開始位置）をシート後端方向（感光面の移動方向上流側）へ移動させる。
【００４２】
一方、シートサイズがＡ４等のショートサイズのシート（複数枚貼り付け）に対して印字する場合は、上述の所定の補正値は、下記計算式により用紙の印字に反映される（図３の下段参照）。
【００４３】
第１画像形成サイクル印字時は、（Ｋ３−１２８）＝ｋ（３）、（Ｋ４−１２８）＝ｋ（４）とすると、
Ａ４の１枚目の黒印字時に適用される補正値
＝ｋ（１）＋ｋ（３）＝Ｋｃ
Ａ４の２枚目の黒印字時に適用される補正値
＝ｋ（１）＋ｋ（３）＋ｋ（４）＝Ｋｄ
第２画像形成サイクル以降印字時は、（Ｋ５−１２８）＝ｋ（５）、（Ｋ６−１２８）＝ｋ（６）とすると、
Ａ４の３枚目以降の奇数ページの黒印字時に適用される補正値
＝ｋ（１）＋ｋ（２）＋ｋ（３）＋ｋ（５）＝Ｋｅ
Ａ４の４枚目以降の偶数ページの黒印字時に適用される補正値
＝ｋ（１）＋ｋ（２）＋ｋ（３）＋ｋ（４）＋ｋ（５）＋ｋ（６）＝Ｋｆ
となる。
【００４４】
上記計算式により求められた値に応じた印字開始位置（感光体の感光面のシート搬送方向におけるレーザ光の走査開始位置）の調整方法については、上述のロングサイズのシートの場合と同様である。このように、中間転写体の転写面上に同時に複数ページ分のトナー像を形成する場合に、複数ページのそれぞれのページに所定の補正値を対応付けておくことにより、それぞれのページのトナー像形成位置のズレに個別に対応することが可能となり、当該複数ページの内の２ページ目以降のページに対応するトナー像の画像形成位置を適正なものとすることができる。
【００４５】
画像形成部１０３は、補正部１０２からの命令に基づいて、感光体の感光面へのレーザ光の走査タイミングを調整して静電潜像の位置を調整することにより転写面上への形成位置が補正されたトナー像をシートに対して転写する（Ｓ１０３）。
【００４６】
上述の画像形成装置での処理（画像形成方法）における各ステップは、ＭＥＭＯＲＹ１０４に格納されている画像形成プログラムをＣＰＵ１０５に実行させることにより実現されるものである。
【００４７】
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００４８】
なお、上述のような補正値を導き出すための計算式は、以下のルールに則って決定されている。
【００４９】
Ａ４サイズのようなショートサイズのシートについては、Ａ４の１枚目の補正値ＫｃとＡ４の２枚目の補正値Ｋｄには、同じ第１画像形成サイクルに属するＡ３の１枚目の補正値Ｋａが含まれている（上記説明および図３参照）。
【００５０】
また、Ａ４の３枚目の補正値ＫｅとＡ４の４枚目の補正値Ｋｆには、同じ第２画像形成サイクルである、Ａ３サイズの２枚目の補正値Ｋｂが含まれている（上記説明および図３参照）。
【００５１】
すなわち、転写面上に同時に複数ページ分のトナー像を形成する場合に、該同時に転写面上に形成される複数のページにおける任意のページに対応する補正値が、該任意のページよりも前にトナー像が形成されるページに対応する補正値を含むように設定されている。
【００５２】
このことは、画像形成サイクルの違いによるトナー像の形成位置のズレの影響についての調整値の役割を、補正値Ｋａ、Ｋｂに予め含ませたかたちで決定していることを示す。これにより、例えば上述したトナー像間の空白区間による静電吸着の影響が小さい場合には、ショートサイズのシートに特化したトナー像の形成位置の調整は省略もしくは微調整を行うのみで済ませることができる。また、この原理を利用し、任意のページに対応するトナー像の形成位置の補正に、該任意のページの直前のページに利用した補正値を利用することにより、順番があとである調整を省略したり、微調整で済ませたりすることが可能となる。
【００５３】
サービスマンによりトナー像の形成位置の調整が行われる場合、ロングサイズ（Ａ３など）のシートから行われ、ロングサイズ終了後、ショートサイズのシートについての調整が行われるが、所定の補正値を上述のような設定とすることで、サービスマンの作業負担の軽減に寄与することができる。なお、トナー像の形成位置の調整の順番は強制ではないが、順位をつけると、ロングサイズの１枚目、ロングサイズの２枚目以降、ショートサイズの１枚目、ショートサイズの２枚目、ショートサイズの３枚目、ショートサイズの４枚目の順番で行うのが効率がよい。
【００５４】
以上のように、本実施の形態により、Ａ４サイズのようなショートサイズ（２枚貼り付け）のシートの偶数ページにおいて、色ズレが悪化する現象に関して、当該偶数ページについても転写面上へのトナー像の形成位置を調整可能とすることにより、従来は色ズレが悪かった、ショートサイズについても色ズレの少ない良好な画像形成を実現することができる。
【００５５】
また、ショートサイズのシートについてのトナー像の形成位置の調整については、上述のトナー像が形成されない空白区間に起因する静電吸着の影響が大きい場合にのみ実行するようにし、不要な場合には省略もしくは微調整で済ませることにより、処理効率の向上およびＣＰＵにおける演算負荷の軽減に寄与することができる。
【００５６】
本発明を特定の態様により詳細に説明したが、本発明の精神および範囲を逸脱しないかぎり、様々な変更および改質がなされ得ることは、当業者には自明であろう。
【図面の簡単な説明】
【００５７】
【図１】本実施の形態による画像形成装置について説明するための機能ブロック図である。
【図２】本実施の形態による画像形成装置における処理の流れ（画像形成方法）について説明するためのフローチャートである。
【図３】所定の補正値を用いたトナー像の形成位置の補正について説明するための図である。
【図４】いわゆる色ズレについて説明するための図である。
【図５】ロングサイズのシートに対応するトナー像とショートサイズのシートに対応するトナー像の転写面上への形成方法の一例を示す図である。
【図６】中間転写体に対して同時に２ページ分のトナー像を形成するシートサイズと、同時に１ページ分だけのトナー像を形成するシートサイズとを分類した一例を示す図である。
【図７】ロングサイズおよびショートサイズのシートに対して形成すべきトナー像の中間転写体の転写面への形成位置の従来の補正方法について説明するための図である。
【図８】転写面上にロングサイズのシートに対応するトナー像を形成する場合と、ショートサイズのシートに対応するトナー像を形成する場合との相違点について説明するための図である。
【符号の説明】
【００５８】
１  画像形成装置、１０１  データ取得部、１０２  補正部、１０３  画像形成部、１０４  ＭＥＭＯＲＹ、１０５  ＣＰＵ。
【図１】
2007003958.tif 000003
【図２】
2007003958.tif 000004
【図３】
2007003958.tif 000005
【図４】
2007003958.tif 000006
【図５】
2007003958.tif 000007
【図６】
2007003958.tif 000008
【図７】
2007003958.tif 000009
【図８】
2007003958.tif 000010